(57)【特許請求の範囲】
【請求項１】
動画像を撮像する撮像手段と、
前記撮像手段より出力される動画像データに無音に対応するデータを付加するか否かを設定する設定手段と、
前記設定手段により無音に対応するデータを付加すると設定される場合に、前記撮像手段によって撮影中に得られた動画像データが規定量に達する毎に、無音に対応する所定の音声データを生成する音声データ生成手段と、
前記撮像手段により出力される動画像データと前記音声データ生成手段により生成される前記所定の音声データとを組み合わせて、所定の単位に整形してデータを記録する記録手段とを有することを特徴とする画像処理装置。
【請求項２】
動画像を撮像する撮像手段と、
前記撮像手段より出力される動画像データに無音に対応するデータを付加するか否かを設定する設定手段と、
前記設定手段により無音に対応するデータを付加すると設定される場合に、前記撮像手段によって撮影中に得られた動画像データが規定量に達する毎に、無音に対応する所定の音声データを生成する音声データ生成手段と、
前記撮像手段により出力される動画像データと前記音声データ生成手段により生成される前記所定の音声データとを組み合わせて、所定の単位に整形して当該画像処理装置から着脱可能な記録媒体に記録する記録制御手段とを有することを特徴とする画像処理装置。
【請求項３】
音声データを記録する音声データ記録手段と、
前記音声データ記録手段より前記音声データを読み出す読出手段とを有し、
前記記録手段は、前記撮像手段により出力される動画像データと前記読出手段により読み出される前記音声データとを組み合わせて記録することを特徴とする請求項１記載の画像処理装置。
【請求項４】
当該画像処理装置から着脱可能な記録媒体より音声データを読み出す読出手段を有し、
前記記録手段は、前記撮像手段により出力される動画像データと前記読出手段により読み出される前記音声データとを組み合わせて記録することを特徴とする請求項１記載の画像処理装置。
【請求項５】
音声データを記録する音声データ記録手段と、
前記音声データ記録手段より前記音声データを読み出す読出手段とを有し、
前記記録制御手段は、前記撮像手段により出力される動画像データと前記読出手段により読み出される前記音声データとを組み合わせて前記記録媒体に記録することを特徴とする請求項２記載の画像処理装置。
【請求項６】
当該画像処理装置から着脱可能な記録媒体より音声データを読み出す読出手段を有し、
前記記録制御手段は、前記撮像手段により出力される動画像データと前記読出手段により読み出される前記音声データとを組み合わせて前記記録媒体に記録することを特徴とする請求項２記載の画像処理装置。
【請求項７】
撮像手段より出力される動画像データに無音に対応するデータを付加するか否かを設定する設定ステップと、
前記設定ステップにより無音に対応するデータを付加すると設定される場合に、前記撮像手段によって撮影中に得られた動画像データが規定量に達する毎に、無音に対応する所定の音声データを生成する音声データ生成ステップと、
動画像を撮像する撮像手段により出力される動画像データと前記音声データ生成ステップにより生成される前記所定の音声データとを組み合わせて、所定の単位に整形してデータを記録媒体に記録する第１記録ステップとを有することを特徴とする画像処理方法。
【請求項８】
音声データを記録する音声データ記録手段より前記音声データを読み出す読出ステップと、
前記撮像手段により出力される動画像データと前記読出ステップにより読み出される前記音声データとを組み合わせて前記記録媒体に記録する第２記録ステップとを有することを特徴とする請求項７記載の画像処理方法。
【請求項９】
請求項１〜６の何れか１項に記載の各手段としてコンピュータを機能させるためのプログラムを記録したことを特徴とするコンピュータ読み取り可能な記録媒体。
【請求項１０】
請求項７又は８に記載の画像処理方法の処理ステップをコンピュータに実行させるためのプログラムを記録したことを特徴とするコンピュータ読み取り可能な記録媒体。
【請求項１１】
請求項１〜６の何れか１項に記載の各手段としてコンピュータを機能させるためのプログラム。
【請求項１２】
請求項７又は８に記載の画像処理方法の処理ステップをコンピュータに実行させるためのプログラム。
【発明の詳細な説明】
【０００１】
【発明の属する技術分野】
本発明は、動画データを記録する音声データ付きの動画データ作成システムを構築するための画像処理装置、画像処理方法、記録媒体及びプログラムに関するものである。
【０００２】
【従来の技術】
従来、固体メモリ素子を有するメモリカードを記録媒体として、動画を撮影する電子カメラ等の動画データ作成システムは既に販売されている。これら電子カメラでは、マイク等の音声入力デバイスが装備されている機種では音声データ付き動画データを作成し、装備されていない機種では音声データ無し動画データを作成していた。
【０００３】
【発明が解決しようとする課題】
しかしながら、このような動画データ作成システムにおいて、音声入力デバイスが装備されている機種、されていない機種を同時に開発・発売する際には機種毎のカスタマイズ作業が不可欠であり、開発負荷の増大を招いていた。また過去の機種が音声データ付きの動画データ再生にしか対応していない場合、音声データ無し動画データを過去の機種では再生出来ないという問題も発生する。
更に、音声入力デバイスが装備されていない機種で撮影した動画データを、PC等の音声出力デバイスの装備されている動画再生装置で再生する場合には、再生中ずっと無音状態が続き味気なかった。
【０００４】
本発明は、上記問題点に鑑みてなされたものであり、音声データ付きの画像データ再生にしか対応していない機種を使用する場合でも音声なしの画像データを再生することを可能とし、汎用性の高い画像データ作成システムを開発負荷の増大を抑えつつ製作することができる画像処理装置、画像処理方法、記録媒体及びプログラムを提供することを目的とする。
【０００５】
また、本発明は、本画像処理装置にマイク等の音声入力デバイスが装備されているか否かに拘わらず、画像データに音声データをＢＧＭとして付加することを可能とする画像処理装置、画像処理方法、記録媒体及びプログラムを提供することを目的とする。
【０００６】
【課題を解決するための手段】
本発明の画像処理装置の第１の態様は、動画像を撮像する撮像手段と、前記撮像手段より出力される動画像データに無音に対応するデータを付加するか否かを設定する設定手段と、前記設定手段により無音に対応するデータを付加すると設定される場合に、前記撮像手段によって撮影中に得られた動画像データが規定量に達する毎に、無音に対応する所定の音声データを生成する音声データ生成手段と、前記撮像手段により出力される動画像データと前記音声データ生成手段により生成される前記所定の音声データとを組み合わせて、所定の単位に整形してデータを記録する記録手段とを有することを特徴とする。
本発明の画像処理装置の第２の態様は、動画像を撮像する撮像手段と、前記撮像手段より出力される動画像データに無音に対応するデータを付加するか否かを設定する設定手段と、前記設定手段により無音に対応するデータを付加すると設定される場合に、前記撮像手段によって撮影中に得られた動画像データが規定量に達する毎に、無音に対応する所定の音声データを生成する音声データ生成手段と、前記撮像手段により出力される動画像データと前記音声データ生成手段により生成される前記所定の音声データとを組み合わせて、所定の単位に整形して当該画像処理装置から着脱可能な記録媒体に記録する記録制御手段とを有することを特徴とする。
本発明の画像処理方法は、撮像手段より出力される動画像データに無音に対応するデータを付加するか否かを設定する設定ステップと、前記設定ステップにより無音に対応するデータを付加すると設定される場合に、前記撮像手段によって撮影中に得られた動画像データが規定量に達する毎に、無音に対応する所定の音声データを生成する音声データ生成ステップと、動画像を撮像する撮像手段により出力される動画像データと前記音声データ生成ステップにより生成される前記所定の音声データとを組み合わせて、所定の単位に整形してデータを記録媒体に記録する第１記録ステップとを有することを特徴とする。
本発明のコンピュータ読み取り可能な記録媒体の第１の態様は、前記画像処理装置の各段としてコンピュータを機能させるためのプログラムを記録したことを特徴とする。
本発明のコンピュータ読み取り可能な記録媒体の第２の態様は、前記画像処理方法の処理ステップをコンピュータに実行させるためのプログラムを記録したことを特徴とする。
本発明のプログラムの第１の態様は、前記画像処理装置の各手段としてコンピュータを機能させることを特徴とする。
本発明のプログラムの第２の態様は、前記画像処理方法の処理ステップをコンピュータに実行させることを特徴とする。
【００２２】
【発明の実施の形態】
以下、本発明の実施形態を添付図面を参照しながら詳細に説明する。
【００２３】
図１は、本発明の一実施形態における画像処理装置の構成を示した図である。図１において、１００は画像処理装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００２４】
１８は撮像素子（撮像手段）１４、Ａ／Ｄ変換器１６、Ｄ／Ａ変換器２６にクロック信号や制御信号を供給するタイミング発生回路であり、メモリ制御回路２２及びシステム制御回路５０により制御される。２０は画像処理回路であり、Ａ／Ｄ変換器１６からのデータ或いはメモリ制御回路２２からのデータに対して所定の画素補間処理や色変換処理を行う。
【００２５】
また、画像処理回路２０においては、撮像した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、ＥＦ（フラッシュプリ発光）処理を行っている。さらに、画像処理回路２０においては、撮像した画像データを用いて所定の演算処理を行い、得られた演算結果に基づいてTTL方式のAWB（オートホワイトバランス）処理も行っている。
【００２６】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２７】
２４は画像表示メモリ、２６はＤ／Ａ変換器、２７はＤ／Ａ変換器２６の出力を外部モニタに出力するコネクタである。外部主力コネクタ２７にコネクタが挿されている場合は外部出力接続検知手段１０８によりシステム制御回路５０は外部出力状態を知る事が出来る。
【００２８】
２８はTFT、LCD等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。
【００２９】
また、画像表示部２８は、システム制御回路５０の指示により任意に表示をON/OFFすることが可能であり、表示をOFFにした場合には画像処理装置１００の電力消費を大幅に低減することが出来る。さらに、画像表示部２８は、回転可能なヒンジ部によって画像処理装置１００本体と結合されており、自由な向き、角度を設定して電子ファインダー機能や再生表示機能、各種表示機能を使用することが可能である。また、画像表示部２８の表示部分を画像処理装置１００に向けて格納することが可能であり、この場合は画像表示部開閉検知手段１０６により、格納状態を検知して画像表示部２８の表示動作を停止することが出来る。
【００３０】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。
【００３１】
また、メモリ３０はシステム制御回路５０の作業領域としても使用することが可能である。メモリ３０は、記録媒体２００や２１０の書き込みバッファとしても使われる。３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３２】
４０は絞り機能を備えるシャッター１２を制御する露光制御手段であり、フラッシュ４８と連携することによりフラッシュ調光機能も有するものである。４２は撮影レンズ１０のフォーカシングを制御する測距制御手段、４４は撮影レンズ１０のズーミングを制御するズーム制御手段、４６はバリアである保護手段１０２の動作を制御するバリア制御手段である。４８はフラッシュであり、AF補助光の投光機能、フラッシュ調光機能も有する。
【００３３】
露光制御手段４０、測距制御手段４２はTTL方式を用いて制御されており、撮像した画像データを画像処理回路２０によって演算した演算結果に基づき、システム制御回路５０が露光制御手段４０、測距制御手段４２に対して制御を行う。５０は画像処理装置１００全体を制御するシステム制御回路、５２はシステム制御回路５０の動作用の定数、変数、プログラム等を記憶するメモリである。
【００３４】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばLCDやLED、発音素子等の組み合わせにより構成されている。
【００３５】
また、表示部５４は、その一部の機能が光学ファインダー１０４内に設置されている。表示部５４の表示内容のうち、LCD等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付け・時刻表示、等がある。
【００３６】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。５６は電気的に消去・記録可能な不揮発性メモリであり、例えばEEPROM等が用いられる。５８は記録媒体２００や２１０のデータ記録速度や、取得するデータのデータレートを測定するために使われるタイマである。
【００３７】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３８】
ここで、これらの操作手段の具体的な説明を行う。６０はモードダイアルスイッチで、電源オフ、自動撮影モード、撮影モード（パノラマ撮影モード、動画撮影モード含む）、再生モード、マルチ画面再生・消去モード、PC接続モード等の各機能モードを切り替え設定することが出来る。
【００３９】
６２はシャッタースイッチSW1で、不図示のシャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。６４はシャッタースイッチSW2で、不図示のシャッターボタンの操作完了でONとなり、撮像素子１２から読み出した信号をＡ／Ｄ変換器１６、メモリ制御回路２２を介してメモリ30に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。また動画撮影の場合は動画撮影の開始・停止を指示する。６６は画像表示ON/OFFスイッチで、画像表示部２８のON/OFFを設定することが出来る。この機能により、光学ファインダー１０４を用いて撮影を行う際に、TFT LCD等から成る画像表示部への電流供給を遮断することにより、省電力を図ることが可能となる。
【００４０】
６８はクイックレビューON/OFFスイッチで、撮影直後に撮影した画像データを自動再生するクイックレビュー機能を設定する。なお、本実施形態では特に、画像表示部２８をOFFとした場合におけるクイックレビュー機能の設定をする機能を備えるものとする。
【００４１】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等がある。
【００４２】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００４３】
８２はコネクタ、８４はコネクタ、８６はアルカリ電池やリチウム電池等の一次電池やNiCd電池やNiMH電池、Li電池等の二次電池、ACアダプター等からなる電源手段である。９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００４４】
なお、本実施例では記録媒体を取り付けるインタフェース及びコネクタを2系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。インタフェース及びコネクタとしては、PCMCIAカードやCF（コンパクトフラッシュ（Ｒ））カード等の規格に準拠したものを用いて構成して構わない。
【００４５】
さらに、インタフェース９０及び９４、そしてコネクタ９２及び９６をPCMCIAカードやCF（コンパクトフラッシュ（Ｒ））カード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００４６】
１０２は、画像処理装置１００のレンズ１０を含む撮像部を覆う事により、撮像部の汚れや破損を防止するバリアである保護手段である。
【００４７】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００４８】
１０６は画像表示部開閉検知手段であり、画像表示部２８が、画像表示部２８の表示部分を画像処理装置１００に向けて格納した格納状態にあるかどうかを検知することが出来る。ここで、格納状態にあると検知したならば画像表示部２８の表示動作を停止して不要な電力消費を禁止することが可能である。
【００４９】
１０８は外部出力コネクタ接続検知手段であり、外部出力コネクタ２７に外部モニタが接続されているかどうかを検知することが出来る。ここで、接続状態にあると検知したならば画像表示部２８の代わりに外部モニタを表示装置として用いることが可能である。
【００５０】
１１０は通信手段で、RS232CやUSB、IEEE1394、P1284、SCSI、モデム、LAN、無線通信、等の各種通信機能を有する。１１２は通信手段１１０により画像処理装置１００を他の機器と接続するコネクタ或いは無線通信の場合はアンテナである。
【００５１】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。また、この記録媒体２００がPCMCIA規格のPC-CardやCompactFlash等の場合は、性能が記されている情報記憶回路を内蔵している事もある。
【００５２】
２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。また、この記録媒体２１０がPCMCIA規格のPC-CardやCompactFlash等の場合は、性能が記されている情報記憶回路を内蔵している事もある。
【００５３】
図２乃至図１０を参照して、本実施形態における画像処理装置の動作について説明する。図２及び図３は本実施例の画像処理装置１００の主ルーチンのフローチャートを示す。
【００５４】
図２及び図３を用いて、画像処理装置１００の動作を説明する。電池交換やモードダイアル操作等の電源投入により、システム制御回路５０はフラグや制御変数等を初期化し（Ｓ１０１）、画像表示部２８の画像表示をOFF状態に初期設定する（Ｓ１０２）。そして、記録媒体２００/２１０のデータ記録速度を取得する（Ｓ１０３）。Ｓ１０３のデータ記録速度取得は、このように電源投入後すぐに行っても良いし、記録媒体の認識後に行っても良いし、また後（Ｓ１１４〜Ｓ１１６）に述べるように、該データ記録装置の負荷が軽い時に行っても良い。このデータ記録速度取得処理Ｓ１０３の詳細は図８を用いて後述する。
【００５５】
システム制御回路５０は、モードダイアル６０の設定位置を判断（Ｓ１１１）し、モードダイアル６０が電源OFFに設定されていたならば、各表示部の表示を終了状態に変更し、保護手段１０２のバリアを閉じて撮像部を保護し、フラグや制御変数等を含む必要なパラメータや設定値、設定モード、記録媒体のデータ記録速度、動作モード毎の取得データレート等を不揮発性メモリ５６に記録し、電源制御手段８０により画像表示部２８を含む画像処理装置１００各部の不要な電源を遮断する等の所定の終了処理を行った後、シャットダウンする（Ｓ１１２）。
【００５６】
モードダイアル６０が撮影モードに設定されていたならば（Ｓ１１１）、Ｓ１１４に進む。モードダイアル６０がその他のモードに設定されていたならば（Ｓ１１１）、システム制御回路５０は選択されたモードに応じた処理を実行し（Ｓ１１３）、処理を終えたならばＳ１１１に戻る。
【００５７】
システム制御回路５０は、記録媒体２００/２１０のデータ記録速度を取得（Ｓ１１４）し、動画モードの場合は動画データのデータレートを、録音モードの場合は音声データのデータレートを取得（Ｓ１１５）し、動画モードまたは音声データの場合は、記録可能時間を表示する（Ｓ１１６）。記録媒体のデータ記録速度の測定は、初期化の時に行っていればやる必要は無いし、またＳ１１４〜Ｓ１１６で行ったようにデータ記録装置の負荷が軽い時に行う場合も、一回求めれば後は何度も求める必要は無い。
【００５８】
このデータ記録速度取得処理Ｓ４１０の詳細は図８を用いて、動画データレート取得処理Ｓ４１１の詳細は図９を用いて、記録可能時間表示処理Ｓ４１２の詳細は図１０を用いて後述する。
【００５９】
システム制御回路５０は、電源制御手段８０により電池等により構成される電源８６の残容量や動作情況が画像処理装置１００の動作に問題があるか否かを判断し（Ｓ１２１）、問題があるならば表示部５４を用いて画像や音声により所定の警告表示を行った後に（Ｓ１２３）、Ｓ１１１に戻る。
【００６０】
電源８６に問題が無いならば（Ｓ１２１）、システム制御回路５０は記録媒体２００或いは２１０の動作状態が画像処理装置１００の動作、特に記録媒体に対する画像データの記録再生動作に問題があるか否かを判断し（Ｓ１２２）、問題があるならば表示部５４を用いて画像や音声により所定の警告表示を行った後に（Ｓ１２３）、Ｓ１１１に戻る。
【００６１】
記録媒体２００或いは２１０の動作状態に問題が無いならば（Ｓ１２２）、表示部５４を用いて画像や音声により画像処理装置１００の各種設定状態の表示を行う（Ｓ１３１）。なお、画像表示部２８の画像表示がONであったならば、画像表示部２８も用いて画像や音声により画像処理装置１００の各種設定状態の表示を行う。
【００６２】
システム制御回路５０は、クイックレビューON/OFFスイッチ６８の設定状態を調べ（Ｓ１３２）、クイックレビューONに設定されていたならばクイックレビューフラグを設定し、（Ｓ１３３）、クイックレビューOFFに設定されていたならばクイックレビューフラグを解除する（Ｓ１３４）。なお、クイックレビューフラグの状態は、システム制御回路５０の内部メモリ或いはメモリ５２に記憶する。
【００６３】
続いて、システム制御回路５０は、画像表示ON/OFFスイッチ６６の設定状態を調べ（Ｓ１３５）、画像表示ONに設定されていたならば、画像表示フラグを設定すると共に（Ｓ１３６）、画像表示部２８の画像表示をON状態に設定し（Ｓ１３７）、さらに撮像した画像データを逐次表示するスルー表示状態に設定して（Ｓ１３８）、Ｓ１５１に進む。
【００６４】
スルー表示状態に於いては、撮像素子１２、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダー機能を実現している。
【００６５】
画像表示ON/OFFスイッチ６６が画像表示OFFに設定されていたならば（Ｓ１３５）、画像表示フラグを解除すると共に（Ｓ１３９）、画像表示部２８の画像表示をOFF状態に設定して（Ｓ１４０）、Ｓ１５１に進む。画像表示OFFの場合は、画像表示部２８による電子ファインダー機能を使用せず、光学ファインダー１０４を用いて撮影を行う。この場合、電力消費量の大きい画像表示部２８やＤ／Ａ変換器２６等の消費電力を削減することが可能となる。なお、画像表示フラグの状態は、システム制御回路５０の内部メモリ或いはメモリ５２に記憶する。
【００６６】
シャッタースイッチSW1が押されていないならば（Ｓ１５１）、Ｓ１１１に戻る。シャッタースイッチSW1が押されたならば（Ｓ１５１）、撮影可能条件が満たされているかチェックし（Ｓ１５２）、条件が満たされていなければＳ１１１に戻り、満たされていたらＳ１５３に進む。
【００６７】
システム制御回路５０はシステム制御回路５０の内部メモリ或いはメモリ５２に記憶される画像表示フラグの状態を判断し（Ｓ１５３）、画像表示フラグが設定されていたならば画像表示部２８の表示状態をフリーズ表示状態に設定して（Ｓ１５４）、Ｓ１５５に進む。
【００６８】
フリーズ表示状態に於いては、撮像素子１２、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダーに表示している。画像表示フラグが解除されていたならば（Ｓ１５３）、Ｓ１５５に進む。
【００６９】
システム制御回路５０は、測距処理を行って撮影レンズ１０の焦点を被写体に合わせ、測光処理を行って絞り値及びシャッター時間を決定する（Ｓ１５５）。測光処理に於いて、必要であればフラッシュの設定も行う。この測距・測光処理Ｓ１５５の詳細は図４を用いて後述する。
【００７０】
測距・測光処理Ｓ１５５を終えたならば、システム制御回路５０はシステム制御回路５０の内部メモリ或いはメモリ５２に記憶される画像表示フラグの状態を判断し（Ｓ１５６）、画像表示フラグが設定されていたならば画像表示部２８の表示状態をスルー表示状態に設定して（Ｓ１５７）、Ｓ１５８に進む。なお、Ｓ１５７でのスルー表示状態は、Ｓ１３８でのスルー状態と同じ動作状態である。
【００７１】
シャッタースイッチSW2が押されずに（Ｓ１５８）、さらにシャッタースイッチSW1も解除されたならば（Ｓ１５９）、Ｓ１１１に戻る。シャッタースイッチSW2が押されたならば（Ｓ１５８）、システム制御回路５０はシステム制御回路５０の内部メモリ或いはメモリ５２に記憶される画像表示フラグの状態を判断し（Ｓ１６０）、画像表示フラグが設定されていたならば画像表示部２８の表示状態を固定色表示状態に設定して（Ｓ１６１）、Ｓ１６２に進む。
【００７２】
固定色表示状態に於いては、撮像素子１２、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダーに表示している。画像表示フラグが解除されていたならば（Ｓ１６０）、Ｓ１６２に進む。
【００７３】
システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行し、記録媒体２００或いは２１０に記録する（Ｓ１６２）。この撮影及び記録処理Ｓ１６２の詳細は撮影モード毎に図５，６を用いて後述する。
【００７４】
撮影及び記録処理Ｓ１６２が終了した際に、シャッタースイッチSW2が押された状態であったならば（Ｓ１６３）、システム制御回路５０はシステム制御回路５０の内部メモリ或いはメモリ５２に記憶される連写フラグの状態を判断し（Ｓ１６４）、連写フラグが設定されていたならば、連続して撮影を行うためにＳ１６２に戻り、次の撮影を行う。
【００７５】
連写フラグが設定されていないならば（Ｓ１６４）、シャッタースイッチSW2が放されるまで（Ｓ１６３）、現在の処理を繰り返す。撮影及び記録処理Ｓ１６２が終了した際にシャッタースイッチSW2が放された状態であった、或いは、シャッタースイッチSW2を押し続けてクイックレビュー表示を継続して撮影画像の確認を行った後にシャッタースイッチSW2を放した状態であったならば（Ｓ１６３）、所定のミニマムレビュー時間が経過した後にＳ１６６に進む（Ｓ１６５）。
【００７６】
システム制御回路５０は、画像表示フラグが設定されていたならば（Ｓ１６６）、画像表示部２８の表示状態をスルー表示状態に設定して（Ｓ１６７）、Ｓ１６９に進む。この場合、画像表示部２８でのクイックレビュー表示によって撮影画像を確認した後に、次の撮影のために撮像した画像データを逐次表示するスルー表示状態にすることが出来る。
【００７７】
画像表示フラグが解除されていたならば（Ｓ１６６）、画像表示部２８の画像表示をOFF状態に設定して（Ｓ１６８）、Ｓ１６９に進む。この場合、画像表示部２８でのクイックレビュー表示によって撮影画像を確認した後に、省電力のために画像表示部２８の機能を停止して、電力消費量の大きい画像表示部２８やＤ／Ａ変換器２６等の消費電力を削減することが可能となる。
【００７８】
シャッタースイッチSW1が押された状態であったならば（Ｓ１６９）、システム制御回路５０は、Ｓ１５８に戻って次の撮影に備える。シャッタースイッチSW1が放された状態であったならば（Ｓ１６９）、システム制御回路５０は、一連の撮影動作を終えてＳ１１１に戻る。
【００７９】
図４は、図３のＳ１５５における測距・測光処理の詳細なフローチャートを示す。システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０はTTL（スルー・ザ・レンズ）方式のAE（自動露出）処理、EF（フラッシュプリ発光）処理、AF（オートフォーカス）処理に用いる所定の演算を行っている。なお、ここでの各処理は、撮影した全画素数のうちの必要に応じた特定の部分を必要個所分切り取って抽出し、演算に用いている。これにより、 TTL方式のAE、EF、AWB、AFの各処理において、中央重点モード、平均モード、評価モードの各モード等の異なるモード毎に最適な演算を行うことが可能となる。
【００８０】
画像処理回路２０での演算結果を用いて、システム制御回路５０は露出（AE）が適正と判断されるまで（Ｓ２０２）、露光制御手段４０を用いてAE制御を行う（Ｓ２０３）。AE制御で得られた測定データを用いて、システム制御回路５０はフラッシュが必要か否かを判断し（Ｓ２０４）、フラッシュが必要ならばフラッシュフラグをセットし、フラッシュ４８を充電する（Ｓ２０５）。
【００８１】
露出（AE）が適正と判断したならば（Ｓ２０２）、測定データ及び或いは設定パラメータをシステム制御回路５０の内部メモリ或いはメモリ５２に記憶する。
【００８２】
画像処理回路２０での演算結果及びAE制御で得られた測定データを用いて、システム制御回路５０はホワイトバランス（AWB）が適正と判断されるまで（Ｓ２０６）、画像処理回路２０を用いて色処理のパラメータを調節してAWB制御を行う（Ｓ２０７）。ホワイトバランス（AWB）が適正と判断したならば（Ｓ２０６）、測定データ及び或いは設定パラメータをシステム制御回路５０の内部メモリ或いはメモリ５２に記憶する。
【００８３】
AE制御及びAWB制御で得られた測定データを用いて、システム制御回路５０は測距（AF）が合焦と判断されるまで（Ｓ２０８）、測距制御手段４２を用いてAF制御を行う（Ｓ２０９）。測距（AF）が合焦と判断したならば（Ｓ２０８）、測定データ及び或いは設定パラメータをシステム制御回路５０の内部メモリ或いはメモリ５２に記憶し、測距・測光処理ルーチンＳ１２２を終了する。
【００８４】
図５は、通常撮影モードでの図３のＳ１６２における撮影処理の詳細なフローチャートを示す。システム制御回路５０はモードダイアル６０を調べ、通常撮影モードの場合はＳ３０１へ行く（Ｓ１６２）。
【００８５】
システム制御回路５０は、システム制御回路５０の内部メモリ或いはメモリ５２に記憶される測光データに従い、露光制御手段４０によって、絞り機能を有するシャッター１２を絞り値に応じて開放して撮像素子１０を露光する（Ｓ３０１、Ｓ３０２）。フラッシュ・フラグによりフラッシュ４８が必要か否かを判断し（Ｓ３０３）、必要な場合はフラッシュを発光させる（Ｓ３０４）。
【００８６】
システム制御回路５０は、測光データに従って撮像素子１４の露光終了を待ち（Ｓ３０５）、シャッター１２を閉じて（Ｓ３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（Ｓ３０７）。
【００８７】
設定された撮影モードに応じて、フレーム処理を行う必要があるならば（Ｓ３０８）、システム制御回路５０は、メモリ制御回路２２そして必要に応じて画像処理回路２０を用いて、メモリ３０に書き込まれた画像データを読み出して垂直加算処理や（Ｓ３０９）、色処理（Ｓ３１０）を順次行った後、メモリ３０に処理を終えた画像データを書き込む。システム制御回路５０は、メモリ３０から画像データを読み出し、メモリ制御回路２２を介して画像表示メモリ２４に表示画像データの転送を行う（Ｓ３１１）。
【００８８】
システム制御回路５０は、システム制御回路５０の内部メモリ或いはメモリ５２に記憶される画像表示フラグの状態を判断し（Ｓ３１２）、画像表示フラグが設定されていたならばクイックレビュー表示を行う（Ｓ３１５）。この場合は、撮影中も画像表示部２８が電子ファインダーとして常に表示された状態であり、撮影直後のクイックレビュー表示も行われる。
【００８９】
画像表示フラグが解除されていたならば（Ｓ３１２）、システム制御回路５０の内部メモリ或いはメモリ５２に記憶されるクイックレビューフラグの状態を判断し（Ｓ３１３）、クイックレビューフラグが設定されていたならば、画像表示部２８の画像表示をON状態に設定し（Ｓ３１４）、クイックレビュー表示を行う（Ｓ３１５）。
【００９０】
画像表示フラグが解除され（Ｓ３１２）、クイックレビューフラグも解除されていたならば（Ｓ３１３）、画像表示部２８がOFFの状態のままＳ３１６に進む。この場合は、撮影を行った後でも画像表示部２８は消えたままであり、クイックレビュー表示も行われない。これは、光学ファインダー１０４を用いて撮影を続ける場合のように、撮影直後の撮影画像の確認が不要で、画像表示部２８の電子ファインダー機能を使用せずに省電力を重視する使用方法である。
【００９１】
システム制御回路５０は、メモリ３０に書き込まれた撮影画像データを読み出して、メモリ制御回路２２そして必要に応じて画像処理回路２０を用いて各種画像処理（Ｓ３１６）を、また、圧縮・伸長回路３２を用いて設定したモードに応じた画像圧縮処理（Ｓ３１７）を行った後、記録媒体２００或いは２１０へ画像データの書き込みを行う記録処理を実行する（Ｓ３１８）。
【００９２】
図６は、動画撮影モードでの図３のＳ１６２における撮影処理の詳細なフローチャートを示す。システム制御回路５０はモードダイアル６０を調べ、動画撮影モードの場合はＳ４０１へ行く（Ｓ１６２）。ユーザーがシャッタースイッチ６４によって動画撮影の終了を指示した場合は動画撮影終了処理を行うためにＳ４１３へ行く（Ｓ４０１）。ユーザーが動画撮影の終了を指示しなかった場合はＳ４０２へ行く（Ｓ４０１）。
【００９３】
動画像データ撮影動作によって得られた画像データが規定枚数に達したとシステム制御回路５０が判断した場合は（Ｓ４０２）、音声データを作成し、メモリ３０に用意された動画ファイル用書き込みバッファに音声データを書き込む（Ｓ４０３）。この音声データ作成処理Ｓ４０３の詳細は図７を用いて後述する。
【００９４】
撮像素子１４、Ａ／Ｄ変換機１６、画像処理回路２０、メモリ制御回路２２を介して得られた画像データを圧縮伸長回路３２で逐次データ圧縮し、メモリ３０に書き込む一連の動画像データ撮影動作によって得られた画像データが1枚でも存在するとシステム制御回路５０が判断した場合は（Ｓ４０４）、所定の動画フォーマットに沿うように画像データを整形し、メモリ３０に用意された動画ファイル用書き込みバッファに整形された画像データを書き込む（Ｓ４０５）。
【００９５】
システム制御回路５０は、所定の転送単位分の動画データがメモリ３０に用意されている書き込みバッファに取得されている場合（Ｓ４０６）、その所定量に達した取得データを記録媒体に転送する（Ｓ４０７）。
【００９６】
システム制御回路５０は、メモリ３０に用意されている書き込みバッファの空き容量及び記録中の記録媒体２００または２１０の空き容量を調べ（Ｓ４０８）、どちらかが規定量に足りない場合はバッファに残っている動画データを全て記録中の記録媒体２００または２１０に転送し（Ｓ４０９）、終了処理Ｓ４１３に行く。
【００９７】
書き込みバッファの空き容量及び記録媒体の空き容量の両方が規定量以上ある場合は（Ｓ４０８）、データ記録速度を取得し（Ｓ４１０）、動画データレートを取得し（Ｓ４１１）、取得したデータ記録速度及び動画データレートより記録可能時間を表示する（Ｓ４１２）。このデータ記録速度取得処理Ｓ４１０の詳細は図８を用いて、動画データレート取得処理Ｓ４１１の詳細は図９を用いて、記録可能時間表示処理Ｓ４１２の詳細は図１０を用いて後述する。Ｓ４１２の処理が終わったら、Ｓ４０１に戻る。
【００９８】
終了処理Ｓ４１３では、システム制御回路５０は、撮影終了後でなければ更新できない値（総撮影時間、総フレーム数、index領域等）を画像ファイルに書き込み、動画ファイルを整形する。動画ファイルの整形（Ｓ４１３）後、戻る。
【００９９】
図７は、動画撮影処理を示した図６のＳ４０３における音声データ作成処理の詳細なフローチャートを示す。システム制御回路５０は、システム制御回路５０の内部メモリ或いはメモリ５２（設定手段）に記憶される音声データ作成設定の状態を判断し（Ｓ５０１）、無音の音声データを作成する旨の音声データ作成設定がなされていた場合は、所定の音声サンプルデータの中間値（所定値、例えば8bitの音声サンプルデータである場合は、音声サンプルデータがとり得る値０〜２５５の中間値１２８となる）になるように音声データを作成し（Ｓ５０２）、Ｓ５０５へ行く。ステップＳ５０２は、音声データ生成手段の処理に対応する。
【０１００】
一方で、無音の音声データを作成しない旨の音声データ作成設定がなされていた場合は、不揮発性メモリ５６もしくは記録媒体２００または２１０（音声データ記録手段）に記憶されている音声データを読み込み（Ｓ５０３）、読み込んだ音声データの音声データフォーマットを所定の動作フォーマットで規定されている音声データフォーマットに変換し（Ｓ５０４）、Ｓ５０５へ行く。ステップＳ５０３は、読出手段の処理に対応する。
【０１０１】
次に、システム制御回路５０は、所定の動画フォーマットに沿うように音声データを整形し、メモリ３０（記録手段）に用意された動画ファイル用書き込みバッファ或いはメモリカード等の着脱可能な外部記録媒体に音声データを書き込む（Ｓ５０５）。ステップＳ５０５において、外部記録媒体に音声データを書き込む処理は、記録制御手段の処理に対応する。
【０１０２】
このように、本実施形態では、動画像に音声データを付加しない場合でも無音の音声データとして所定のデータを作成し、メモリ３０等に記録するように構成したので、例え過去の機種が音声データ付きの動画データ再生にしか対応していない場合でも、音声なしの動画データを再生することが可能となり、汎用性の高い動画データ作成システムを開発負荷の増大を抑えつつ製作することができる。
【０１０３】
また、本実施形態では、不揮発性メモリ５６もしくは記録媒体２００または２１０に記録される音声データを動画データに組み合わせることが可能であるため、本画像処理装置にマイク等の音声入力デバイスが装備されているか否かに拘わらず、動画データに使用者の望む音声データをＢＧＭとして付加することが可能となる。
【０１０４】
図８は、図２のＳ１０３及びＳ１１４、図６のＳ４１０におけるデータ記録速度取得処理の詳細なフローチャートを示す。システム制御回路５０はインタフェース９０及び９４を調査する事で記録媒体２００及び２１０が取り替えられているかを検知し（Ｓ６０１）、メディアが取り替えられていないならば直前に取得したデータ記録速度情報を得て（Ｓ６０２）、その後Ｓ６０５へ行く。メディアが取り替えられていたならば（Ｓ６０１）、Ｓ６０３へ行く。
【０１０５】
システム制御回路５０は記録媒体２００または２１０のメディア内情報記録回路を調べ（Ｓ６０３）、以前に調査した事のあるメディアであったならば以前調査し取得したデータ記録速度情報を得（Ｓ６０４）、Ｓ６０５へ行く。過去に調査した事のないメディアであっても（Ｓ６０３）、Ｓ６０５へ行く。システム制御回路５０は記録媒体２００または２１０のメディア内情報記録回路を調べ、性能記述部分からデータ記録速度情報を得る（Ｓ６０５）。その後、Ｓ６０６へ行く。
【０１０６】
システム制御回路５０は、現在記録媒体２００または２１０にデータを記録中であるかどうかを調べ（Ｓ６０６）、現在記録中であったならばタイマ５８で単位時間を測り、その単位時間内での記録データ量でデータ記録速度を測定し（Ｓ６０７）、Ｓ６１３へ行く。
【０１０７】
Ｓ６０７で、“タイマ５８で単位時間を測り、その単位時間内での記録データ量でデータ記録速度を測定する”としたが、“所定データ量を記録する時間をタイマ５８で測り、その記録時間でデータ記録速度を測定する”としても良い。
現在記録媒体にデータ記録中でなかったならば（Ｓ６０６）、Ｓ６０８へ行く。
【０１０８】
システム制御回路５０は、現在インタフェース９０または９４に接続されている記録媒体２００または２１０のデータ記録速度を実測した事があれば（Ｓ６０８）、以前調査したデータ記録速度情報を得て（Ｓ６０９）、Ｓ６１３へ行く。データ記録速度をまだ実測した事が無ければ（Ｓ６０８）、所定量の基準データを記録媒体に書き込む時間をタイマ５８で測定するベンチマークテストを行ってデータ記録速度を得（Ｓ６１０）、Ｓ６１３へ行く。システム制御回路５０は、取得したデータ記録速度のうちもっとも遅いものを調査した記録媒体のデータ記録速度とする（Ｓ６１３）。
【０１０９】
図９は、図２のＳ１１５、図６のＳ４１１における取得データレート検出処理の詳細なフローチャートを示す。システム制御回路５０はモードダイアル６０及び不揮発性メモリ５６を調べ、現動作モードでのデータレートの規定値が用意されているかどうか調べ（Ｓ７０１）、規定値が用意されている場合はその値を現動作モードでのデータレートとして得（Ｓ７０２）、Ｓ７０３へ行く。規定値が用意されていない場合（Ｓ７０１）は直前に調べたデータレートを現動作モードでのデータレートとして得（Ｓ７０３）、Ｓ７０４へ行く。
【０１１０】
システム制御回路５０は、現在メモリ３０に用意された書き込みバッファにデータを取得中であるかどうかを調べ（Ｓ７０４）、取得中ならばタイマ５８で単位時間を測り、その単位時間内での取得データ量で取得データレートを測定し（Ｓ７０５）、Ｓ７０６へ行く。
【０１１１】
Ｓ７０５で、“タイマ５８で単位時間を測り、その単位時間内での取得データ量で取得データレートを測定する”としたが、“所定データ量を取得する時間をタイマ５８で測り、その取得時間で取得データレートを測定する”としても良い。現在書き込みバッファにデータ取得中でなかったならば（Ｓ７０４）、Ｓ７０６へ行く。システム制御回路５０は、検出した取得データレートのうちもっとも速いものを取得データレートとする（Ｓ７０６）。
【０１１２】
図１０は、図２のＳ１１６、図６のＳ４１３における記録可能時間表示処理の詳細なフローチャートを示す。システム制御回路５０は記録媒体２００または２１０の空き容量と図９の方法にて取得したデータレートから、以下の計算により記録可能時間＃１を得（Ｓ８０１）、Ｓ８０２へ行く。
記録可能時間＃１＝記録媒体空き容量／データレート
【０１１３】
システム制御回路５０は図８の方法にて取得したデータ記録速度と図９の方法にて取得したデータレートを比べ（Ｓ８０２）、データレートの方が大きければＳ８０３へ、そうでなければ記録可能時間＃２＝∞として（Ｓ８０４）、Ｓ８０５へ行く。
【０１１４】
システム制御回路５０は図８の方法にて取得したデータ記録速度、図９の方法にて取得したデータレート、メモリ３０の書き込みバッファの空き容量から、以下の計算により記録可能時間＃２を得て（Ｓ８０３）、Ｓ８０５へ行く。
記録可能時間＃２＝書き込みバッファ空き容量／（データレート−記録速度）
【０１１５】
システム制御回路は、計算された記録可能時間＃１と＃２を比べ（Ｓ８０５）、記録可能時間＃１が小さければ記録可能時間＃１を画像表示部２８または液晶表示部５４に表示し（Ｓ８０６）、そうでなければ記録可能時間＃２を画像表示部２８または液晶表示部５４に表示する（Ｓ８０７）。Ｓ８０６またはＳ８０７の処理の後、戻る。
【０１１６】
以上、本発明の実施形態について説明を行った。なお、本発明に於いては、記録媒体２００及び２１０は、PCMCIAカードやコンパクトフラッシュ（Ｒ）等のメモリカード、ハードディスク等だけでなく、マイクロDAT、光磁気ディスク、CD-RやCD-WR等の光ディスク、DVD等の相変化型光ディスク等で構成されていても勿論問題無い。
【０１１７】
また、記録媒体２００及び２１０がメモリカードとハードディスク等が一体となった複合媒体であっても勿論問題無い。さらに、その複合媒体から一部が着脱可能な構成としても勿論問題無い。
【０１１８】
そして、上記の説明に於いては、記録媒体２００及び２１０は画像処理装置１００と分離していて任意に接続可能なものとして説明したが、いずれか或いは全ての記録媒体が画像処理装置１００に固定したままとなっていても勿論問題無い。また、画像処理装置１００に記録媒体２００或いは２１０が、単数或いは複数の任意の個数接続可能な構成であっても構わない。そして、画像処理装置１００に記録媒体２００及び２１０が装着する構成として説明したが、記録媒体は単数或いは複数の何れの組み合わせの構成であっても、勿論問題無い。
【０１１９】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【０１２０】
この場合、記憶媒体から読み出されたプログラムコード自体が前述した実施形態の機能を実現することになり、そのプログラムコードを記憶した記憶媒体は本発明を構成することになる。
【０１２１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることが出来る。
【０１２２】
また、コンピュータが読み出したプログラムコードを実行することにより、前述した実施形態の機能が実現されるだけでなく、そのプログラムコードの指示に基づき、コンピュータ上で稼動しているＯＳ(オペレーティングシステム)などが実際の処理の一部又は全部を行い、その処理によって前述した実施形態の機能が実現される場合も含まれることは言うまでもない。
【０１２３】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【０１２４】
【発明の効果】
本発明によれば、無音に対応するデータを動画像データに付加すると設定された場合には、無音に対応する音声データを動画像データと組み合わせて記録手段に記録するように構成したので、例えば音声データ付きの動画像データ再生にしか対応していない機種を使用する場合でも音声なしの動画像データを再生することが可能となり、汎用性の高い画像データ作成システムを開発負荷の増大を抑えつつ作成することができる。
【０１２５】
また、本発明によれば、音声データ記録手段から音声データを読み出し、その音声データを動画像データと組み合わせて記録媒体に記録するように構成したので、本画像処理装置にマイク等の音声入力デバイスが装備されているか否かに拘わらず、動画像データに音声データをＢＧＭとして付加することが可能となる。
【図面の簡単な説明】
【図１】本発明の一実施形態における画像処理装置の構成を示した図である。
【図２】本発明の一実施形態における画像処理装置の主ルーチンの一部を示したフローチャートである。
【図３】本発明の一実施形態における画像処理装置の主ルーチンの一部を示したフローチャートである。
【図４】本発明の一実施形態における画像処理装置の測距・測光ルーチンを示したフローチャートである。
【図５】本発明の一実施形態における画像処理装置の通常撮影ルーチンを示したフローチャートである。
【図６】本発明の一実施形態における画像処理装置の動画撮影ルーチンを示したフローチャートである。
【図７】本発明の一実施形態における画像処理装置の音声データ作成ルーチンを示したフローチャートである。
【図８】本発明の一実施形態における画像処理装置のデータ記録速度検出ルーチンを示したフローチャートである。
【図９】本発明の一実施形態における画像処理装置の取得データレート検出ルーチンを示したフローチャートである。
【図１０】本発明の一実施形態における画像処理装置の記録可能時間表示ルーチンを示したフローチャートである。
【符号の説明】
１０：撮影レンズ
１２：シャッター
１４：撮像素子
１６：Ａ／Ｄ変換器
１８：タイミング発生回路
２０：画像処理回路
２２：メモリ制御回路
２４：画像表示メモリ
２６：Ｄ／Ａ変換器
２７：外部出力コネクタ
２８：画像表示部
３０：メモリ
３２：画像圧縮・伸長回路
４０：露光制御手段
４２：測距制御手段
４４：ズーム制御手段
４６：バリア制御手段
４８：フラッシュ
５０：システム制御回路
５２：メモリ
５４：表示部
５６：不揮発性メモリ
５８：タイマ
６０：モードダイアルスイッチ
６２：シャッタースイッチSW1
６４：シャッタースイッチSW2
６６：画像表示ON/OFFスイッチ
６８：クイックレビューON/OFFスイッチ
７０：操作部
８０：電源制御手段
８２：コネクタ
８４：コネクタ
８６：電源手段
９０：インタフェース
９２：コネクタ
９４：インタフェース
９６：コネクタ
９８：記録媒体着脱検知手段
１００：画像処理装置
１０２：保護手段
１０４：光学ファインダー
１０８：外部出力コネクタ接続検知器
１１０：通信手段
１１２：コネクタ（またはアンテナ）
２００：記録媒体
２０２：記録部
２０４：インタフェース
２０６：コネクタ
２１０：記録媒体
２１２：記録部
２１４：インタフェース
２１６：コネクタ
【図１】
0004208472.tif 000002
【図２】
0004208472.tif 000003
【図３】
0004208472.tif 000004
【図４】
0004208472.tif 000005
【図５】
0004208472.tif 000006
【図６】
0004208472.tif 000007
【図７】
0004208472.tif 000008
【図８】
0004208472.tif 000009
【図９】
0004208472.tif 000010
【図１０】
0004208472.tif 000011